(57)【要約】【課題】  第４色成分光の照度ムラの除去を可能とする照明装置及び投写型映像表示装置を提供する。【解決手段】  照明装置１２０は、黄成分光Ｙｅの重畳量に基づいて、黄成分光Ｙｅの偏光状態を調整する偏光状態調整素子５１Ｙｅと、黄成分光Ｙｅの所定ブロック毎の照度の違いを示す照度ムラを記憶する記憶部２３０と備える。偏光状態調整素子５１Ｙｅは、緑成分光Ｇの偏光状態を調整せずに、黄成分光Ｙｅの偏光状態を調整する。素子制御部２４０は、記憶部２３０に記憶された照度ムラに基づいて、照射面上における第４色成分光の照度の違いを抑制する照度ムラ補償処理を行う。【選択図】  図４
2010256735.tif 000002
【特許請求の範囲】
【請求項１】
映像入力信号を映像出力信号に変換する制御部と、前記映像出力信号に基づいて、複数色の色成分光のそれぞれを変調する複数の光変調素子と、前記複数の光変調素子から出射された色成分光を合成する色合成部とを備えた照明装置であって、
第４色成分光の重畳量に基づいて、前記第４色成分光の偏光状態を調整する偏光状態調整素子と、
前記偏光状態調整素子から出射される前記第４色成分光が照射される照射面上において、前記第４色成分光の所定ブロック毎の照度の違いを示す照度ムラを記憶する記憶部と備え、
前記複数の色成分光のうち、いずれかの色成分光である重畳成分光は、前記第４色成分光とともに前記偏光状態調整素子に入射し、
前記偏光状態調整素子は、前記重畳成分光の偏光状態を調整せずに、前記第４色成分光の偏光状態を調整し、
前記制御部は、前記映像入力信号に基づいて、前記第４色成分光の重畳量を制御し、
前記制御部は、前記記憶部に記憶された前記照度ムラに基づいて、前記照射面上における前記第４色成分光の照度の違いを抑制する照度ムラ補償処理を行い、
前記照度ムラ補償処理は、前記映像入力信号のうち、前記第４色成分光の補色光とは異なる２つの色成分光に対応する信号である代替入力信号を前記所定ブロック毎に減算する処理であることを特徴とする照明装置。
【請求項２】
前記制御部は、前記照度ムラ補償処理に加えて、前記映像入力信号に基づいて、前記第４色成分光の重畳に伴う色ずれを抑制する色ずれ補償処理を行い、
前記色ずれ補償処理は、前記代替入力信号を前記所定ブロック毎に減算する処理であることを特徴とする請求項１に記載の照明装置。
【請求項３】
前記制御部は、前記色ずれ補償処理に係る前記代替入力信号の減算量と前記照度ムラ補償処理に係る前記代替入力信号の減算量との差分である最終減算量を前記所定ブロック毎に算出し、
前記制御部は、前記代替入力信号から前記最終減算量を前記所定ブロック毎に減算することを特徴とする請求項２に記載の照明装置。
【請求項４】
前記制御部は、前記所定ブロック毎に算出された前記最終減算量が負の値を含む場合に、前記負の値の絶対値の最大値を前記代替入力信号に加算することを特徴とする請求項３に記載の照明装置。
【請求項５】
請求項１に記載の照明装置と、前記照明装置から出射された光を投写する投写ユニットとを備えることを特徴とする投写型映像表示装置。
【発明の詳細な説明】
【技術分野】
【０００１】
本発明は、複数色の色成分光のそれぞれを変調する複数の光変調素子と、複数の光変調素子から出射された色成分光を合成する色合成部とを備える照明装置及び投写型映像表示装置に関する。
【背景技術】
【０００２】
従来、光源と、光源から出射される色成分光を変調する光変調素子と、光変調素子から出射される光を投写面（例えば、スクリーンなど）上に投写する投写ユニットとを有する投写型映像表示装置が知られている。
【０００３】
例えば、光源から出射される色成分光は、赤成分光、緑成分光及び青成分光を含む。投写型映像表示装置は、赤成分光、緑成分光及び青成分光をそれぞれ変調する３つの光変調素子を有する。
【０００４】
ここで、色再現性や輝度の向上を目的として、４色以上の色成分光を利用する投写型映像表示装置が提案されている。例えば、投写型映像表示装置は、赤成分光、緑成分光及び青成分光に加えて、オレンジ成分光、黄成分光又はシアン成分光などの第４色成分光を利用することによって、色再現性や輝度の向上を図っている（例えば、特許文献１）。
【先行技術文献】
【特許文献】
【０００５】
【特許文献１】特開２００２−２８７２４７号公報
【発明の概要】
【発明が解決しようとする課題】
【０００６】
ところで、投写型映像表示装置では、フライアイレンズユニットなどによって、光源から出射される光の均一化が図られる。しかしながら、フライアイレンズユニットなどによっても、光源から出射される光を完全に均一化することはできない。
【０００７】
従って、フライアイレンズユニットなどを用いたとしても、例えば、光変調素子に照射される各色の色成分光の照度ムラが残ってしまう。特に、第４色成分光を利用する投写型映像表示装置では、第４色成分光の照度ムラが他の色成分光の変調量に影響を及ぼしてしまう。
【０００８】
そこで、本発明は、上述した課題を解決するためになされたものであり、第４色成分光の照度ムラの除去を可能とする照明装置及び投写型映像表示装置を提供することを目的とする。
【課題を解決するための手段】
【０００９】
第１の特徴に係る照明装置（照明装置１２０）は、映像入力信号を映像出力信号に変換する制御部（素子制御部２４０）と、前記映像出力信号に基づいて、複数色の色成分光のそれぞれを変調する複数の光変調素子（液晶パネル５０）と、前記複数の光変調素子から出射された色成分光を合成する色合成部（クロスダイクロイックプリズム６０）とを備える。照明装置は、第４色成分光の重畳量に基づいて、前記第４色成分光の偏光状態を調整する偏光状態調整素子（偏光状態調整素子５１Ｙｅ）と、前記偏光状態調整素子から出射される前記第４色成分光が照射される照射面上において、前記第４色成分光の所定ブロック毎の照度の違いを示す照度ムラを記憶する記憶部（記憶部２３０）と備える。前記複数の色成分光のうち、いずれかの色成分光である重畳成分光は、前記第４色成分光とともに前記偏光状態調整素子に入射する。前記偏光状態調整素子は、前記重畳成分光の偏光状態を調整せずに、前記第４色成分光の偏光状態を調整する。前記制御部は、前記映像入力信号に基づいて、前記第４色成分光の重畳量を制御する。前記制御部は、前記記憶部に記憶された前記照度ムラに基づいて、前記照射面上における前記第４色成分光の照度の違いを抑制する照度ムラ補償処理を行う。前記照度ムラ補償処理は、前記映像入力信号のうち、前記第４色成分光の補色光とは異なる２つの色成分光に対応する信号である代替入力信号を前記所定ブロック毎に減算する処理である。
【００１０】
第１の特徴において、前記制御部は、前記照度ムラ補償処理に加えて、前記映像入力信号に基づいて、前記第４色成分光の重畳に伴う色ずれを抑制する色ずれ補償処理を行う。前記色ずれ補償処理は、前記代替入力信号を前記所定ブロック毎に減算する処理である。
【００１１】
第１の特徴において、前記制御部は、前記色ずれ補償処理に係る前記代替入力信号の減算量と前記照度ムラ補償処理に係る前記代替入力信号の減算量との差分である最終減算量を前記所定ブロック毎に算出する。前記制御部は、前記代替入力信号から前記最終減算量を前記所定ブロック毎に減算する。
【００１２】
第１の特徴において、前記制御部は、前記所定ブロック毎に算出された前記最終減算量が負の値を含む場合に、前記負の値の絶対値の最大値を前記代替入力信号に加算する。
【００１３】
第２の特徴に係る投写型映像表示装置は、第１の特徴に係る照明装置と、前記照明装置から出射された光を投写する投写ユニットとを備える。
【発明の効果】
【００１４】
本発明によれば、第４色成分光の照度ムラの除去を可能とする照明装置及び投写型映像表示装置を提供することができる。
【図面の簡単な説明】
【００１５】
【図１】第１実施形態に係る投写型映像表示装置１００を示す図である。
【図２】第１実施形態に係る偏光状態調整素子５１Ｙｅの近傍を示す図である。
【図３】第１実施形態に係る偏光状態調整素子５１Ｙｅの近傍を示す図である。
【図４】第１実施形態に係る制御ユニット２００を示すブロック図である。
【図５】第１実施形態に係る黄成分光Ｙｅの重畳量の算出を説明するための図である。
【図６】第１実施形態に係る黄成分光Ｙｅの重畳量の算出を説明するための図である。
【図７】第１実施形態に係る黄成分光Ｙｅの重畳量の算出を説明するための図である。
【図８】第１実施形態に係る黄成分光Ｙｅの重畳量の算出を説明するための図である。
【図９】第１実施形態に係る黄成分光Ｙｅの照度分布を示す図である。
【図１０】第１実施形態に係る照度ムラ補償処理の代替入力信号の減算量を示す図である。
【図１１】第１実施形態に係る照度ムラ補償処理の結果を示す図である。
【図１２】変更例１に係る制御ユニット２００を示すブロック図である。
【図１３】変更例１に係る色ずれ補償処理の代替入力信号の減算量を示す図である。
【図１４】変更例１に係る色ずれ補償処理及び照度ムラ補償処理の結果を示す図である。
【図１５】変更例２に係る色ずれ補償処理及び照度ムラ補償処理の結果を示す図である。
【図１６】変更例３に係る黄成分光Ｙｅの照度分布を示す図である。
【図１７】変更例３に係る黄成分光Ｙｅの照度分布を示す図である。
【図１８】変更例３に係る照度ムラ補償処理の代替入力信号の減算量を示す図である。
【図１９】変更例３に係る照度ムラ補償処理の代替入力信号の減算量を示す図である。
【図２０】変更例３に係る色ずれ補償処理に係る代替入力信号の減算量を示す図である。
【図２１】変更例３に係る調整例１を説明するための図である。
【図２２】変更例３に係る調整例１を説明するための図である。
【図２３】変更例３に係る調整例２を説明するための図である。
【図２４】変更例３に係る調整例２を説明するための図である。
【図２５】変更例３に係る調整例３を説明するための図である。
【図２６】変更例３に係る調整例３を説明するための図である。
【発明を実施するための形態】
【００１６】
以下において、本発明の実施形態に係る照明装置及び投写型映像表示装置について、図面を参照しながら説明する。なお、以下の図面の記載において、同一又は類似の部分には、同一又は類似の符号を付している。
【００１７】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１８】
［実施形態の概要］
実施形態に係る照明装置は、映像入力信号を映像出力信号に変換する制御部と、前記映像出力信号に基づいて、複数色の色成分光のそれぞれを変調する複数の光変調素子と、前記複数の光変調素子から出射された色成分光を合成する色合成部とを備える。照明装置は、第４色成分光の重畳量に基づいて、前記第４色成分光の偏光状態を調整する偏光状態調整素子と、前記偏光状態調整素子から出射される前記第４色成分光が照射される照射面上において、前記第４色成分光の所定ブロック毎の照度の違いを示す照度ムラを記憶する記憶部と備える。前記複数の色成分光のうち、いずれかの色成分光である重畳成分光は、前記第４色成分光とともに前記偏光状態調整素子に入射する。前記偏光状態調整素子は、前記重畳成分光の偏光状態を調整せずに、前記第４色成分光の偏光状態を調整する。前記制御部は、前記映像入力信号に基づいて、前記第４色成分光の重畳量を制御する。前記制御部は、前記記憶部に記憶された前記照度ムラに基づいて、前記照射面上における前記第４色成分光の照度の違いを抑制する照度ムラ補償処理を行う。前記照度ムラ補償処理は、前記映像入力信号のうち、前記第４色成分光の補色光とは異なる２つの色成分光に対応する信号である代替入力信号を前記所定ブロック毎に減算する処理である。
【００１９】
実施形態では、映像入力信号が、赤入力信号、緑入力信号及び青入力信号を含み、映像出力信号が、赤出力信号、緑出力信号及び青出力信号を含むケースを例示する。また、３板タイプの照明装置、すなわち、赤出力信号に応じて赤成分光を変調する赤光変調素子と、緑出力信号に応じて緑成分光を変調する緑光変調素子と、青出力信号に応じて青成分光を変調する青光変調素子とを有する照明装置について例示する。
【００２０】
実施形態に係る投写型映像表示装置は、上述した照明装置と、照明装置から出射された光を投写する投写ユニットとを有する。
【００２１】
実施形態によれば、制御部は、記憶部に記憶された照度ムラに基づいて、照射面上における第４色成分光の照度の違いを抑制する照度ムラ補償処理を行う。従って、フライアイレンズユニットなどの均一化手段によって照度ムラが取り除ききれない場合であっても、第４色成分光の照度ムラを除去することができる。
【００２２】
［第１実施形態］
（投写型映像表示装置の構成）
以下において、第１実施形態に係る投写型映像表示装置について、図面を参照しながら説明する。図１は、第１実施形態に係る投写型映像表示装置１００の構成を示す図である。
【００２３】
図１に示すように、投写型映像表示装置１００は、投写光学系１１０と、照明装置１２０とを有する。投写型映像表示装置１００は、後述するように、赤成分光Ｒ、緑成分光Ｇ及び青成分光Ｂに加えて、第４色成分光として黄成分光Ｙｅを利用する。
【００２４】
投写光学系１１０は、照明装置１２０から出射された映像光をスクリーン（不図示）上などに投写する。
【００２５】
第１に、照明装置１２０は、光源１０と、ＵＶ／ＩＲカットフィルタ２０と、フライアイレンズユニット３０と、ＰＢＳアレイ４０と、複数の液晶パネル５０（液晶パネル５０Ｒ、液晶パネル５０Ｇ及び液晶パネル５０Ｂ）と、偏光状態調整素子５１Ｙｅと、クロスダイクロイックプリズム６０とを有する。
【００２６】
光源１０は、白色光を発する光源（例えば、ＵＨＰランプやキセノンランプ）などである。すなわち、光源１０が発する光は、赤成分光Ｒ、緑成分光Ｇ及び青成分光Ｂに加えて、黄成分光Ｙｅを含む。
【００２７】
ＵＶ／ＩＲカットフィルタ２０は、可視光成分（赤成分光Ｒ、緑成分光Ｇ及び青成分光Ｂ）を透過する。ＵＶ／ＩＲカットフィルタ２０は、赤外光成分や紫外光成分を遮光する。
【００２８】
フライアイレンズユニット３０は、光源１０が発する光を均一化する。具体的には、フライアイレンズユニット３０は、フライアイレンズ３１及びフライアイレンズ３２によって構成される。フライアイレンズ３１及びフライアイレンズ３２は、それぞれ、複数の微少レンズによって構成される。各微少レンズは、光源１０が発する光が液晶パネル５０の全面に照射されるように、光源１０が発する光を集光する。
【００２９】
ＰＢＳアレイ４０は、フライアイレンズユニット３０から出射された光の偏光状態を揃える。例えば、ＰＢＳアレイ４０は、フライアイレンズユニット３０から出射された光をＳ偏光（又はＰ偏光）に揃える。
【００３０】
液晶パネル５０Ｒは、赤入力信号（後述する赤出力信号Ｒｏｕｔ）に基づいて赤成分光Ｒを変調する。液晶パネル５０Ｒに光が入射する側には、一の偏光方向（例えば、Ｓ偏光）を有する光を透過して、他の偏光方向（例えば、Ｐ偏光）を有する光を遮光する入射側偏光板５２Ｒが設けられている。液晶パネル５０Ｒから光が出射する側には、一の偏光方向（例えば、Ｓ偏光）を有する光を遮光して、他の偏光方向（例えば、Ｐ偏光）を有する光を透過する出射側偏光板５３Ｒが設けられている。
【００３１】
液晶パネル５０Ｇは、緑入力信号（後述する緑出力信号Ｇｏｕｔ）に基づいて緑成分光Ｇを変調する。液晶パネル５０Ｇに光が入射する側には、一の偏光方向（例えば、Ｓ偏光）を有する光を透過して、他の偏光方向（例えば、Ｐ偏光）を有する光を遮光する入射側偏光板５２Ｇが設けられる。一方で、液晶パネル５０Ｇから光が出射する側には、一の偏光方向（例えば、Ｓ偏光）を有する光を遮光して、他の偏光方向（例えば、Ｐ偏光）を有する光を透過する出射側偏光板５３Ｇが設けられる。
【００３２】
液晶パネル５０Ｂは、青入力信号（後述する青出力信号Ｂｏｕｔ）に基づいて青成分光Ｂを変調する。液晶パネル５０Ｂに光が入射する側には、一の偏光方向（例えば、Ｓ偏光）を有する光を透過して、他の偏光方向（例えば、Ｐ偏光）を有する光を遮光する入射側偏光板５２Ｂが設けられる。一方で、液晶パネル５０Ｂから光が出射する側には、一の偏光方向（例えば、Ｓ偏光）を有する光を遮光して、他の偏光方向（例えば、Ｐ偏光）を有する光を透過する出射側偏光板５３Ｂが設けられる。
【００３３】
ここで、各液晶パネル５０には、コントラスト比や透過率を向上させる補償板（不図示）が設けられていてもよい。また、各偏光板は、偏光板に入射する光の光量や熱負担を軽減させるプリ偏光板を有していてもよい。
【００３４】
偏光状態調整素子５１Ｙｅには、黄成分光Ｙｅとともに緑成分光Ｇが入射する。緑成分光Ｇは、赤成分光Ｒ、緑成分光Ｇ及び青成分光Ｂのうち、黄成分光Ｙｅの補色光（青成分光Ｂ）とは異なる重畳成分光である。すなわち、偏光状態調整素子５１Ｙｅは、緑成分光Ｇの光路上に設けられる。
【００３５】
偏光状態調整素子５１Ｙｅは、重畳成分光（ここでは、緑成分光Ｇ）の偏光状態を調整せずに、黄成分光Ｙｅの偏光状態を調整する。具体的には、偏光状態調整素子５１Ｙｅは、自素子に印加される電圧に応じて、黄成分光Ｙｅの偏光状態を調整する。
【００３６】
例えば、偏光状態調整素子５１Ｙｅは、黄成分光Ｙｅの偏光方向を回転させない状態と、黄成分光Ｙｅの偏光方向を９０°回転させる状態とを選択的に切り替え可能に構成された光学素子である。又は、偏光状態調整素子５１Ｙｅは、０〜９０°の範囲内において、黄成分光Ｙｅの偏光状態を調整する光学素子である。
【００３７】
ここで、偏光状態調整素子５１Ｙｅは、単一の画素を有しており、黄成分光Ｙｅの重畳量をフレームで一律に制御してもよい。また、偏光状態調整素子５１Ｙｅは、複数の画素を有しており、黄成分光Ｙｅの重畳量を画素毎に制御してもよい。なお、偏光状態調整素子５１Ｙｅの画素数は、液晶パネル５０の画素数よりも少ないことが好ましい。
【００３８】
クロスダイクロイックプリズム６０は、液晶パネル５０Ｒ、液晶パネル５０Ｇ及び液晶パネル５０Ｂから出射される光を合成する色合成部を構成する。クロスダイクロイックプリズム６０から出射された合成光は、投写光学系１１０に導かれる。
【００３９】
第２に、照明装置１２０は、ミラー群（ミラー７１〜ミラー７６）及びレンズ群（レンズ８１〜レンズ８５）を有する。
【００４０】
ミラー７１は、青成分光Ｂを透過して、赤成分光Ｒ及び緑成分光Ｇを反射するダイクロイックミラーである。ミラー７２は、赤成分光Ｒを透過して、緑成分光Ｇを反射するダイクロイックミラーである。ミラー７１及びミラー７２は、赤成分光Ｒ、緑成分光Ｇ及び青成分光Ｂを分離する色分離部を構成する。
【００４１】
ミラー７３は、赤成分光Ｒ、緑成分光Ｇ及び青成分光Ｂを反射して、赤成分光Ｒ、緑成分光Ｇ及び青成分光Ｂをミラー７１側に導く。ミラー７４は、青成分光Ｂを反射して、青成分光Ｂを液晶パネル５０Ｂ側に導く。ミラー７５及びミラー７６は、赤成分光Ｒを反射して、赤成分光Ｒを液晶パネル５０Ｒ側に導く。
【００４２】
レンズ８１は、ＰＢＳアレイ４０から出射された光を集光するコンデンサレンズである。レンズ８２は、ミラー７３で反射された光を集光するコンデンサレンズである。
【００４３】
レンズ８３Ｒは、液晶パネル５０Ｒに赤成分光Ｒが照射されるように、赤成分光Ｒを略平行光化する。レンズ８３Ｇは、液晶パネル５０Ｇに緑成分光Ｇが照射されるように、緑成分光Ｇを略平行光化する。レンズ８３Ｂは、液晶パネル５０Ｂに青成分光Ｂが照射されるように、青成分光Ｂを略平行光化する。
【００４４】
レンズ８４及びレンズ８５は、赤成分光Ｒの拡大を抑制しながら、液晶パネル５０Ｒ上に赤成分光Ｒを略結像するリレーレンズである。
【００４５】
（偏光状態調整素子の構成）
以下において、第１実施形態に係る偏光状態調整素子の構成について、図面を参照しながら説明する。図２及び図３は、第１実施形態に係る偏光状態調整素子５１Ｙｅの近傍を示す図である。
【００４６】
図２に示すように、偏光状態調整素子５１Ｙｅは、Ｙｅ−ＯＮ状態において、黄成分光Ｙｅの偏光状態を調整せずに透過する。すなわち、偏光状態調整素子５１Ｙｅの光出射側において、黄成分光Ｙｅの偏光状態は、緑成分光Ｇの偏光状態と同じである。Ｙｅ−ＯＮ状態は、黄成分光Ｙｅを利用する状態である。
【００４７】
図３に示すように、偏光状態調整素子５１Ｙｅは、Ｙｅ−ＯＦＦ状態において、黄成分光Ｙｅの偏光状態を調整して透過する。すなわち、偏光状態調整素子５１Ｙｅの光出射側において、黄成分光Ｙｅの偏光状態は、緑成分光Ｇの偏光状態と異なっている。Ｙｅ−ＯＦＦ状態は、黄成分光Ｙｅを利用しない状態である。なお、Ｙｅ−ＯＦＦ状態では、液晶パネル５０Ｇに設けられた入射側偏光板５２Ｇによって黄成分光Ｙｅが遮光される。
【００４８】
（投写型映像表示装置の機能）
以下において、第１実施形態に係る投写型映像表示装置の機能について、図面を参照しながら説明する。図４は、第１実施形態に係る投写型映像表示装置１００に設けられた制御ユニット２００を示す所定ブロック図である。
【００４９】
ここで、制御ユニット２００は、映像入力信号を映像出力信号に変換する。映像入力信号は、フレーム毎の信号であり、赤入力信号Ｒｉｎ、緑入力信号Ｇｉｎ及び青入力信号Ｂｉｎを含む。映像出力信号は、フレーム毎の信号であり、赤出力信号Ｒｏｕｔ、緑出力信号Ｇｏｕｔ及び青出力信号Ｂｏｕｔを含む。
【００５０】
図４に示すように、制御ユニット２００は、信号受付部２１０と、重畳量算出部２２０と、記憶部２３０と、素子制御部２４０とを有する。
【００５１】
信号受付部２１０は、ＤＶＤやＴＶチューナなどの外部装置から映像入力信号を受付ける。
【００５２】
重畳量算出部２２０は、映像入力信号（赤入力信号Ｒｉｎ、緑入力信号Ｇｉｎ及び青入力信号Ｂｉｎ）に基づいて、黄成分光Ｙｅの重畳量を算出する。具体的には、重畳量算出部２２０は、フレームのパラメータ（色相、彩度、輝度など）に基づいて、黄成分光Ｙｅの重畳量を算出する。例えば、重畳量算出部２２０は、フレームの彩度が低いほど、黄成分光Ｙｅの重畳量を増大する。また、重畳量算出部２２０は、フレームの輝度が高いほど、黄成分光Ｙｅの重畳量を増大する。
【００５３】
第１例として、図５及び図６に示す係数（彩度係数αｙ及び輝度係数βｙ）について例示する。図５及び図６では、フレームの色相がオレンジであるケース、例えば、Ｒ：Ｇ＝０．７５：０．２５であるケースにおける各係数が例示されている。
【００５４】
彩度係数αｙは、図５に示すように、最小値（例えば、“０．４”）〜最大値（例えば、“１”）の範囲である。彩度係数αｙは、例えば、彩度が“０”〜“０．５”の範囲において、最大値で一定である。彩度係数αｙは、例えば、彩度が“０．５”以上の範囲において、彩度が高くなるほど減少する。
【００５５】
輝度係数βｙは、図６に示すように、最小値（例えば、“０．３”）〜最大値（例えば、“１”）の範囲である。輝度係数βｙは、例えば、輝度が高くなるほど増大する。
【００５６】
第２として、図７及び図８に示す係数（彩度係数αｙ及び輝度係数βｙ）について例示する。図７及び図８では、フレームの色相がシアンであるケース、例えば、Ｇ：Ｂ＝０．５：０．５であるケースにおける各係数が例示されている。
【００５７】
彩度係数αｙは、図７に示すように、最小値（例えば、“０”）〜最大値（例えば、“１”）の範囲である。彩度係数αｙは、例えば、彩度が“０”〜“０．５”の範囲において、最大値で一定である。彩度係数αｙは、例えば、彩度が“０．５”〜“０．６”の範囲において、彩度が高くなるほど減少する。彩度係数αｙは、例えば、彩度が“０．６”以上の範囲において、最小値で一定である。
【００５８】
輝度係数βｙは、図８に示すように、最小値（例えば、“０”）〜最大値（例えば、“１”）の範囲である。輝度係数βｙは、例えば、輝度が“０”〜“０．７”の範囲において、最小値で一定である。輝度係数βｙは、例えば、輝度が“０．７”以上の範囲において、輝度が高くなるほど増大する。
【００５９】
重畳量算出部２２０は、重畳量（係数）＝αｙ×βｙに従って、黄成分光Ｙｅの重畳量を算出する。すなわち、フレームの色相がホワイトポイントに近いほど、黄成分光Ｙｅの重畳量が増大する。
【００６０】
記憶部２３０は、偏光状態調整素子５１Ｙｅから出射される黄成分光Ｙｅが照射される照射面上において、黄成分光Ｙｅの所定ブロック毎の照度の違いを示す照度ムラを記憶する。
【００６１】
なお、照射面は、例えば、投写型映像表示装置から出射された映像光が照射されるスクリーンなどである。また、所定ブロックは、フレームを構成する画素の集合である。所定ブロックは、複数の画素によって構成されていてもよく、単数の画素によって構成されていてもよい。
【００６２】
素子制御部２４０は、映像入力信号（赤入力信号Ｒｉｎ、緑入力信号Ｇｉｎ及び青入力信号Ｂｉｎ）に基づいて、映像出力信号（赤出力信号Ｒｏｕｔ、緑出力信号Ｇｏｕｔ及び青出力信号Ｂｏｕｔ）を算出する。
【００６３】
また、素子制御部２４０は、重畳量算出部２２０によって算出された黄成分光Ｙｅの重畳量に基づいて、黄成分光Ｙｅの偏光状態の調整量を制御する。すなわち、素子制御部２４０は、黄成分光Ｙｅの重畳量（係数）に基づいて、黄出力信号Ｙｅｏｕｔを算出する。例えば、素子制御部２４０は、Ｙｅｏｕｔ＝αｙ×βｙ×ＳｉｇＭＡＸに従って、黄出力信号Ｙｅｏｕｔを算出する。ＳｉｇＭＡＸは、赤入力信号Ｒｉｎ、緑入力信号Ｇｉｎ及び青入力信号Ｂｉｎなどの信号の最大値である。
【００６４】
ここで、素子制御部２４０は、照度ムラ補償処理部２４１を有しており、照射面上における黄成分光Ｙｅの照度の違いを抑制する照度ムラ補償処理を行う。
【００６５】
具体的には、照度ムラ補償処理部２４１は、記憶部に記憶された照度ムラに基づいて、照射面上における黄成分光Ｙｅの照度の違いを抑制する照度ムラ補償処理を行う。照度ムラ補償処理は、映像入力信号のうち、黄成分光Ｙｅの補色光（第１実施形態では、青成分光Ｂ）とは異なる２つの色成分光（第１実施形態では、赤成分光Ｒ、緑成分光Ｇ）に対応する信号である代替入力信号（赤入力信号Ｒｉｎ、緑入力信号Ｇｉｎ）を所定ブロック毎に減算する処理である。
【００６６】
ここで、照度ムラ補償処理では、黄成分光Ｙｅの照度が最も低い所定ブロックを基準として、他の所定ブロックの黄成分光Ｙｅの照度が抑制される。言い換えると、記憶部に記憶された照度ムラにおいて、黄成分光Ｙｅの照度が高い所定ブロックほど、代替入力信号（赤入力信号Ｒｉｎ、緑入力信号Ｇｉｎ）の減算量が大きい。
【００６７】
（照度ムラ補償処理）
以下において、第１実施形態に係る照度ムラ補償処理について、図面を参照しながら説明する。図９〜図１１は、第１実施形態に係る照度ムラ補償処理を示す図である。
【００６８】
第１に、記憶部に記憶された照度ムラの一例について、図９を参照しながら説明する。図９では、フレーム中央からフレーム端に向けて、３つの所定ブロック（所定ブロック＃１〜所定ブロック＃３）が存在するケースを例示する。図９に示すように、所定ブロック＃１及び所定ブロック＃３の黄成分光Ｙｅの照度が高く、所定ブロック＃２の黄成分光Ｙｅの照度が低い。
【００６９】
第２に、代替入力信号（赤入力信号Ｒｉｎ、緑入力信号Ｇｉｎ）の減算量について、図１０を参照しながら説明する。図１０に示すように、黄成分光Ｙｅの照度が最も低い所定ブロック＃２を基準として、所定ブロック＃１及び所定ブロック＃３の黄成分光Ｙｅの照度から減光すべき照度（以下、照度減光量）が特定される。続いて、照度減算量に基づいて、照度減算量に相当する赤成分光Ｒ及び緑成分光Ｇの減光量が特定される。すなわち、照度減算量に基づいて、照度減算量に相当する代替入力信号（赤入力信号Ｒｉｎ、緑入力信号Ｇｉｎ）の減算量が特定される。
【００７０】
第３に、照度ムラ補償処理の処理結果について、図１１を参照しながら説明する。上述したように、代替入力信号（赤入力信号Ｒｉｎ、緑入力信号Ｇｉｎ）の減算によって、赤成分光Ｒ及び緑成分光Ｇが減光される。従って、図１１に示すように、黄成分光Ｙｅの照度が最も低い所定ブロック＃２を基準として、所定ブロック＃１及び所定ブロック＃３の黄成分光Ｙｅの照度が所定ブロック＃２の黄成分光Ｙｅの照度に揃う。
【００７１】
（作用及び効果）
第１実施形態では、素子制御部２４０は、記憶部２３０に記憶された照度ムラに基づいて、照射面上における黄成分光Ｙｅの照度の違いを抑制する照度ムラ補償処理を行う。従って、フライアイレンズユニットなどの均一化手段によって照度ムラが取り除ききれない場合であっても、黄成分光Ｙｅの照度ムラを除去することができる。
【００７２】
［変更例１］
以下において、第１実施形態の変更例１について、図面を参照しながら説明する。以下においては、第１実施形態との相違点について主として説明する。
【００７３】
変更例１では、照度ムラ補償処理に加えて、黄成分光Ｙｅの重畳に伴う色ずれを抑制する色ずれ補償処理が行われる。色ずれ補償処理は、映像入力信号に基づいて、代替入力信号（赤入力信号Ｒｉｎ、緑入力信号Ｇｉｎ）を所定ブロック毎に減算する処理である。
【００７４】
（投写型映像表示装置の機能）
以下において、変更例１に係る投写型映像表示装置の機能について、図面を参照しながら説明する。図１２は、変更例１に係る投写型映像表示装置１００に設けられた制御ユニット２００を示す所定ブロック図である。なお、図１２では、図４と同様の構成について同様の符号を付している。
【００７５】
図１２に示すように、制御ユニット２００の素子制御部２４０は、照度ムラ補償処理部２４１に加えて、色ずれ補償処理部２４２を有する。
【００７６】
色ずれ補償処理部２４２は、映像入力信号に基づいて、黄成分光Ｙｅの重畳に伴う色ずれを抑制する色ずれ補償処理を行う。色ずれ補償処理は、代替入力信号（赤入力信号Ｒｉｎ、緑入力信号Ｇｉｎ）を所定ブロック毎に減算する処理である。
【００７７】
ここで、黄成分光Ｙｅの重畳量（すなわち、黄出力信号Ｙｅｏｕｔ）は、フレーム全体のパラメータ（色相、彩度、輝度など）によって決定される。すなわち、黄成分光Ｙｅの重畳量（すなわち、黄出力信号Ｙｅｏｕｔ）は、フレームで一律の値である。
【００７８】
従って、黄成分光Ｙｅの重畳が好ましくない所定ブロックでは、黄成分光Ｙｅの重畳に伴う色ずれを抑制するために色ずれ補償処理が必要になる。
【００７９】
例えば、色ずれ補償処理部２４２は、黄出力信号Ｙｅｏｕｔに基づいて、代替入力信号（赤入力信号Ｒｉｎ、緑入力信号Ｇｉｎ）から所定値を減算して、代替出力信号（赤出力信号Ｒｏｕｔ及び緑出力信号Ｇｏｕｔ）を算出する。又は、色ずれ補償処理部２４２は、黄出力信号Ｙｅｏｕｔに基づいて、青入力信号Ｂｉｎに所定値を加算して、青出力信号Ｂｏｕｔを算出する。代替入力信号（赤入力信号Ｒｉｎ、緑入力信号Ｇｉｎ）の減算処理や青入力信号Ｂｉｎの加算処理によって、黄成分光Ｙｅの重畳に伴って生じる“色ずれ”を抑制する。
【００８０】
なお、代替入力信号（赤入力信号Ｒｉｎ、緑入力信号Ｇｉｎ）からの減算量は、動作モード（輝度優先モードや色再現優先モード）によって異なってもよい。例えば、輝度優先モードでは、黄成分光Ｙｅの重畳量（すなわち、黄出力信号Ｙｅｏｕｔ）に相当する代替入力信号に比べて、代替入力信号（赤入力信号Ｒｉｎ、緑入力信号Ｇｉｎ）からの減算量が小さな値に設定される。一方で、色再現優先モードでは、代替入力信号（赤入力信号Ｒｉｎ、緑入力信号Ｇｉｎ）からの減算量が黄成分光Ｙｅの重畳量（すなわち、黄出力信号Ｙｅｏｕｔ）に相当する代替入力信号に近い値に設定される。
【００８１】
（色ずれ補償処理及び照度ムラ補償処理）
以下において、変更例１に係る色ずれ補償処理及び照度ムラ補償処理について、図面を参照しながら説明する。図１３〜図１４は、変更例１に係る色ずれ補償処理及び照度ムラ補償処理を示す図である。
【００８２】
第１に、色ずれ補償処理に係る代替入力信号（赤入力信号Ｒｉｎ、緑入力信号Ｇｉｎ）の減算量ついて、図１３を参照しながら説明する。図１３に示すように、代替入力信号（赤入力信号Ｒｉｎ、緑入力信号Ｇｉｎ）の減算量が映像入力信号に基づいて所定ブロック毎に算出される。ここでは、図１３に示すように、所定ブロック＃１及び所定ブロック＃３について、代替入力信号（赤入力信号Ｒｉｎ、緑入力信号Ｇｉｎ）の減算が行われる。所定ブロック＃１に係る代替入力信号（赤入力信号Ｒｉｎ、緑入力信号Ｇｉｎ）の減算量は、所定ブロック＃３に係る代替入力信号（赤入力信号Ｒｉｎ、緑入力信号Ｇｉｎ）の減算量よりも多い。
【００８３】
第２に、色ずれ補償処理及び照度ムラ補償処理に係る代替入力信号（赤入力信号Ｒｉｎ、緑入力信号Ｇｉｎ）の減算量ついて、図１４を参照しながら説明する。なお、照度ムラ補償処理に係る代替入力信号（赤入力信号Ｒｉｎ、緑入力信号Ｇｉｎ）の減算量は、図１０と同様である。図１４に示すように、代替入力信号（赤入力信号Ｒｉｎ、緑入力信号Ｇｉｎ）の減算量は、色ずれ補償処理に係る減算量及び照度ムラ補償処理に係る減算量の合計である。
【００８４】
（作用及び効果）
変更例１では、素子制御部２４０は、照度ムラ補償処理に加えて、黄成分光Ｙｅの重畳に伴う色ずれを抑制する色ずれ補償処理を行う。従って、照度ムラの除去に加えて、色ずれを抑制することによって、映像の色再現性が向上する。
【００８５】
［変更例２］
以下において、第１実施形態の変更例２について、図面を参照しながら説明する。以下においては、第１実施形態及び変更例１との相違点について主として説明する。
【００８６】
変更例２では、変更例１と同様に、照度ムラ補償処理に加えて、色ずれ補償処理が行われる。すなわち、変更例２に係る制御ユニット２００の構成は変更例１と同様である。
【００８７】
ここで、変更例２では、素子制御部２４０は、色ずれ補償処理に係る代替入力信号の減算量と照度ムラ補償処理に係る代替入力信号の減算量との差分である最終減算量を所定ブロック毎に算出する。素子制御部２４０は、代替入力信号から最終減算量を所定ブロック毎に減算する。
【００８８】
（色ずれ補償処理及び照度ムラ補償処理）
以下において、変更例２に係る色ずれ補償処理及び照度ムラ補償処理について、図面を参照しながら説明する。図１５は、変更例２に係る色ずれ補償処理及び照度ムラ補償処理を示す図である。
【００８９】
ここで、照度ムラ補償処理に係る代替入力信号（赤入力信号Ｒｉｎ、緑入力信号Ｇｉｎ）の減算量は図１０と同様である。また、色ずれ補償処理に係る代替入力信号（赤入力信号Ｒｉｎ、緑入力信号Ｇｉｎ）の減算量は図１３と同様である。
【００９０】
図１５に示すように、色ずれ補償処理に係る代替入力信号の減算量と照度ムラ補償処理に係る代替入力信号の減算量との差分である最終減算量が所定ブロック毎に算出される。なお、素子制御部２４０は、代替入力信号から最終減算量を所定ブロック毎に減算する。
【００９１】
なお、最終減算量は、色ずれ補償処理に係る代替入力信号の減算量から照度ムラ補償処理に係る代替入力信号の減算量を減算した値であってもよい。また、最終減算量は、照度ムラ補償処理に係る代替入力信号の減算量から色ずれ補償処理に係る代替入力信号の減算量を減算した値であってもよい。
【００９２】
（作用及び効果）
変更例２では、素子制御部２４０は、色ずれ補償処理に係る代替入力信号の減算量と照度ムラ補償処理に係る代替入力信号の減算量との差分である最終減算量を所定ブロック毎に算出する。続いて、素子制御部２４０は、代替入力信号から最終減算量を所定ブロック毎に減算する。従って、代替入力信号が必要以上に減算されることを抑制することができる。この結果、代替入力信号の過度な減算に伴う輝度の低下などを抑制することができる。
【００９３】
また、所定ブロック毎の最終減算量では、色ずれ補償処理に係る所定ブロック毎の減算量の差異が残っている。従って、最終減算量（差分）を用いても、色ずれ補償処理の結果が反映されていることに留意すべきである。
【００９４】
同様に、所定ブロック毎の最終減算量では、照度ムラ補償処理に係る所定ブロック毎の差異も残っている。従って、最終減算量（差分）を用いても、照度ムラ補償処理の結果が反映されていることに留意すべきである。
【００９５】
［変更例３］
以下において、第１実施形態の変更例３について、図面を参照しながら説明する。以下においては、第１実施形態との相違点について主として説明する。
【００９６】
変更例３では、変更例１と同様に、照度ムラ補償処理に加えて、色ずれ補償処理が行われる。すなわち、変更例３に係る制御ユニット２００の構成は変更例１と同様である。
【００９７】
ここで、変更例３では、照度ムラ補償処理及び色ずれ補償処理の双方を適用するケースにおいて、種々の調整例について説明する。
【００９８】
（照度ムラ補償処理）
以下において、変更例３に係る照度ムラ補償処理について、図面を参照しながら説明する。
【００９９】
第１に、黄成分光Ｙｅの照度分布について、図１６及び図１７を参照しながら説明する。なお、図１６及び図１７では、黄成分光Ｙｅの照度は、黄成分光Ｙｅの照度が最も低い所定ブロックを“０”として、相対値によって表されている。黄成分光Ｙｅの照度の値の範囲は、０〜１００である。具体的には、図１６は、黄成分光Ｙｅの重畳量が最大（１００％）であるケースにおける黄成分光Ｙｅの照度分布を示している。一方で、図１７は、黄成分光Ｙｅの重畳量が最大（５０％）であるケースにおける黄成分光Ｙｅの照度分布を示している。図１７に示す黄成分光Ｙｅの照度は、図１６に示す黄成分光Ｙｅの照度の５０％である。
【０１００】
第２に、照度ムラ補償処理に係る代替入力信号（赤入力信号Ｒｉｎ、緑入力信号Ｇｉｎ）の減算量について、図１８及び図１９を参照しながら説明する。なお、図１８及び図１９では、代替入力信号の減算量は、黄成分光Ｙｅの照度が最も高い所定ブロックを“０”として、相対値によって表されている。具体的には、図１８は、黄成分光Ｙｅの重畳量が最大（１００％）であるケースにおける代替入力信号の減算量を示している。一方で、図１９は、黄成分光Ｙｅの重畳量が最大（５０％）であるケースにおける代替入力信号の減算量を示している。図１９に示す代替入力信号の減算量は、図１８に示す代替入力信号の減算量の５０％である。
【０１０１】
なお、同位置の所定ブロックについて、図１６に示す値から図１８に示す値を減算すると、全所定ブロックが同じ値（−３０）になる。同様に、同位置の所定ブロックについて、図１７に示す値から図１９に示す値を減算すると、全所定ブロックが同じ値（−１５）になる。すなわち、代替入力信号の減算によって、照度ムラが解消していることが分かる。
【０１０２】
（色ずれ補償処理）
以下において、変更例３に係る色ずれ補償処理について、図面を参照しながら説明する。ここでは、色ずれ補償処理に係る代替入力信号（赤入力信号Ｒｉｎ、緑入力信号Ｇｉｎ）の減算量について、図２０を参照しながら説明する。
【０１０３】
図２０に示すように、制御対象のフレームは、左下の所定ブロックにおいて、代替入力信号の減算量が大きい傾向を有する。また、制御対象のフレームは、右上の所定ブロックにおいて、代替入力信号の減算量が大きい傾向を有する。
【０１０４】
（調整例１）
以下において、変更例３に係る調整例１について、図面を参照しながら説明する。なお、調整例１は、上述した変更例１と類似している。ここでは、フレーム全体の黄成分光Ｙｅの重畳量が５０％であるケースを例示する。
【０１０５】
第１に、図２１に示すように、色ずれ補償処理に係る代替入力信号の減算量が照度ムラ補償処理に係る代替入力信号の減算量に加算される。すなわち、図２０に示す値に図１９に示す値が加算される。
【０１０６】
第２に、図２２に示すように、代替入力信号の減算量が黄成分光Ｙｅの重畳量を超える所定ブロックについて、代替入力信号の減算量が黄成分光Ｙｅの重畳量に調整される（図２１及び図２２に示す斜線部分を参照）。
【０１０７】
（調整例２）
以下において、変更例３に係る調整例２について、図面を参照しながら説明する。なお、調整例２は、上述した変更例２と類似している。ここでは、フレーム全体の黄成分光Ｙｅの重畳量が５０％であるケースを例示する。
【０１０８】
第１に、図２３に示すように、色ずれ補償処理に係る代替入力信号の減算量から照度ムラ補償処理に係る代替入力信号の減算量が減算される。すなわち、図２０に示す値から図１９に示す値が減算される。
【０１０９】
第２に、図２４に示すように、代替入力信号の減算量が負の値である所定ブロックについて、代替入力信号の減算量が“０”に調整される（図２３及び図２４に示す斜線部分を参照）。
【０１１０】
（調整例３）
以下において、変更例３に係る調整例３について、図面を参照しながら説明する。なお、調整例３は、上述した変更例２と類似している。ここでは、フレーム全体の黄成分光Ｙｅの重畳量が５０％であるケースを例示する。
【０１１１】
第１に、調整例２と同様に、色ずれ補償処理に係る代替入力信号の減算量から照度ムラ補償処理に係る代替入力信号の減算量が減算される（図２３を参照）。すなわち、図２０に示す値から図１９に示す値が減算される。
【０１１２】
第２に、代替入力信号の減算量が負の値である所定ブロックのうち、負の値の絶対値が最も大きい所定ブロックが特定される。図２５に示すように、特定された所定ブロックの負の値の絶対値が全所定ブロックに加算される。
【０１１３】
第３に、代替入力信号の減算量が黄成分光Ｙｅの重畳量を超える所定ブロックについて、代替入力信号の減算量が黄成分光Ｙｅの重畳量に調整される（図２５及び図２６に示す斜線部分を参照）。
【０１１４】
（作用及び効果）
変更例３では、代替入力信号の減算量が黄成分光Ｙｅの重畳量を超えるケース、代替入力信号の減算量が負の値になるケースにおいて、代替入力信号の減算量が調整される。従って、色ずれ補償処理及び照度ムラ補償処理が適切に行われる。
【０１１５】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１１６】
例えば、光変調素子の一例として、透過型の液晶パネル５０について説明したが、光変調素子は、これに限定されるものではない。光変調素子は、反射型の液晶パネルやＤＭＤ（Ｄｉｇｉｔａｌ  Ｍｉｃｒｏｍｉｒｒｏｒ  Ｄｅｖｉｃｅ）であってもよい。
【０１１７】
実施形態では、重畳成分光として緑成分光Ｇを例示したが、重畳成分光は、これに限定されるものではない。重畳成分光は、黄成分光Ｙｅの補色光（青成分光Ｂ）とは異なる色成分光であればよい。すなわち、重畳成分光は、赤成分光Ｒであってもよい。
【０１１８】
実施形態では、第４色成分光として黄成分光Ｙｅを例示したが、第４色成分光は、これに限定されるものではない。第４色成分光は、マゼンタ成分光又はシアン成分光であってもよい。
【符号の説明】
【０１１９】
１０・・・光源、２０・・・ＵＶ／ＩＲカットフィルタ、３０・・・フライアイレンズユニット、４０・・・ＰＢＳアレイ、５０・・・液晶パネル、５１・・・偏光状態調整素子、５２、５３・・・偏光板、６０・・・クロスダイクロイックキューブ、７１〜７６・・・ミラー、８１〜８５・・・レンズ、１００・・・投写型映像表示装置、１１０・・・投写レンズユニット、１２０・・・照明ユニット、２００・・・制御ユニット、２１０・・・映像信号受付部、２２０・・・重畳量算出部、２３０・・・記憶部、２４０・・・素子制御部、２４１・・・照度ムラ補償処理部、２４２・・・色ずれ補償処理部
【図１】
2010256735.tif 000003
【図２】
2010256735.tif 000004
【図３】
2010256735.tif 000005
【図４】
2010256735.tif 000006
【図５】
2010256735.tif 000007
【図６】
2010256735.tif 000008
【図７】
2010256735.tif 000009
【図８】
2010256735.tif 000010
【図９】
2010256735.tif 000011
【図１０】
2010256735.tif 000012
【図１１】
2010256735.tif 000013
【図１２】
2010256735.tif 000014
【図１３】
2010256735.tif 000015
【図１４】
2010256735.tif 000016
【図１５】
2010256735.tif 000017
【図１６】
2010256735.tif 000018
【図１７】
2010256735.tif 000019
【図１８】
2010256735.tif 000020
【図１９】
2010256735.tif 000021
【図２０】
2010256735.tif 000022
【図２１】
2010256735.tif 000023
【図２２】
2010256735.tif 000024
【図２３】
2010256735.tif 000025
【図２４】
2010256735.tif 000026
【図２５】
2010256735.tif 000027
【図２６】
2010256735.tif 000028